(57)【要約】      （修正有）【課題】マイクロコントローラによって入力電圧を調整する変圧器を提供する。【解決手段】巻き枠は１つ以上の一次巻線領域２１１と、１つ以上の帰還巻線領域２１９とを備える。該１つ以上の一次コイル組立体は該１つ以上の一次巻線領域に巻き付けられ、マイクロコントローラ３１に電気的に接続され、入力電圧を受け取るよう構成されている。該１つ以上の帰還コイル組立体は該１つ以上の帰還巻線領域に巻き付けられ、該マイクロコントローラに電気的に接続され、該マイクロコントローラに誘導電圧を出力するよう構成されている。該マイクロコントローラは該１つ以上の一次コイル組立体が受け取る該入力電圧を該誘導電圧に応じて調整するよう構成されている。【選択図】図３
0003150904.tif 000002
【実用新案登録請求の範囲】
【請求項１】
マイクロコントローラによって入力電圧を調整する変圧器であって、
巻き枠と、１つ以上の一次コイル組立体と、１つ以上の二次コイル組立体と、１つ以上の帰還コイル組立体とを備え、
該巻き枠は
ジャックと、
１つ以上の一次巻線領域と、
１つ以上の二次巻線領域と、
１つ以上の帰還巻線領域と、
２つ以上の配置領域とを備え、
該１つ以上の帰還巻線領域は該１つ以上の一次巻線領域の第１の側で該１つ以上の二次巻線領域の第１の側に配置され、該２つ以上の配置領域は該１つ以上の一次巻線領域の第２の側と該１つ以上の二次巻線領域の第２の側とにそれぞれ配置され、
該１つ以上の一次コイル組立体は該１つ以上の一次巻線領域に巻き付けられ、１つ以上の第１導電端子を介して該マイクロコントローラに電気的に接続され、該入力電圧を受け取るよう構成され、
該１つ以上の二次コイル組立体は該１つ以上の二次巻線領域に巻き付けられ、
該１つ以上の帰還コイル組立体は該１つ以上の帰還巻線領域に巻き付けられ、１つ以上の第２導電端子を介して該マイクロコントローラに電気的に接続され、該１つ以上の第２導電端子を介して該マイクロコントローラに誘導電圧を出力するよう構成され、
該マイクロコントローラは該１つ以上の一次コイル組立体が受け取る該入力電圧を該誘導電圧に応じて調整する変圧器。
【請求項２】
前記１つ以上の二次コイル組立体は出力電圧を１つ以上の第３導電端子を介して出力する請求項１に記載の変圧器。
【請求項３】
前記１つ以上の帰還コイル組立体と、前記１つ以上の一次コイル組立体との間に第１分離部が設けられ、該１つ以上の帰還コイル組立体と、前記１つ以上の二次コイル組立体との間に第２分離部が設けられている請求項１に記載の変圧器。
【請求項４】
前記巻き枠の前記ジャックは、前記第１分離部及び前記第２分離部と連通している請求項３に記載の変圧器。
【請求項５】
前記巻き枠の前記２つ以上の配置領域にそれぞれ嵌合する２つ以上の拡張部を有する第１コアと、
Ｉ字形コアであって該巻き枠の前記ジャックに挿入されて該第１コアの該拡張部に当接する第２コアと
を更に備える請求項１に記載の変圧器。
【請求項６】
前記第１コアと前記第２コアのうち１つは非導電性材料でできている請求項５に記載の変圧器。
【請求項７】
前記第１コアはＮｉ‐Ｚｎ合金、Ｍｎ‐Ｚｎ合金、Ｍｇ‐Ｚｎ合金、及びこれらの組合せのうちの１つからできている請求項６に記載の変圧器。
【請求項８】
前記第２コアはＮｉ‐Ｚｎ合金、Ｍｎ‐Ｚｎ合金、Ｍｇ‐Ｚｎ合金、及びこれらの組合せのうちの１つからできている請求項６に記載の変圧器。
【考案の詳細な説明】
【技術分野】
【０００１】
本考案は、変圧器、特にマイクロコントローラによって入力電圧を調整する変圧器に関する。
［関連する出願への相互参照］
本出願は、２００８年１２月１５日付で出願した台湾特許出願第０９７２２２４８２号に基づく優先権を主張するものである。この出願全体を本明細書に援用する。
【背景技術】
【０００２】
図１は従来の変圧器１を示す。この変圧器は巻き枠１１と、Ｕ字形コア１５ａ及びＩ字形コア１５ｂを有するコア組立体とを備える。この巻き枠は一次巻線領域１１１、二次巻線領域１１３、２つの配置領域１７１、分離部１１５、及びジャック１１７を備える。２つの配置領域１７１は巻き枠１１の両端に配置されている。一次巻線領域１１１と二次巻線領域１１３との間に分離部１１５が存在する。一次巻線領域１１１には一次コイル組立体（不図示）が巻き付けられ、一方、二次巻線領域１１３には二次コイル組立体（不図示）が巻き付けられている。巻き枠１１は２つの第１導電端子１３１ａ、１３１ｂと、２つの第２導電端子１３３ａ、１３３ｂとを備える。第１導電端子１３１ａ、１３１ｂは、該一次コイルに電気的に接続するよう適合され、一方、第２導電端子１３３ａ、１３３ｂは、該二次コイルに電気的に接続するよう適合されている。Ｉ字形コア１５ｂは巻き枠１１のジャック１１７を通って挿入され、一方、Ｕ字形コア１５ａは２つの配置領域１７１に装着され、Ｉ字形コア１５ｂに当接する。コア組立体を構成するＵ字形コア１５ａとＩ字形コア１５ｂはＭｎ‐Ｚｎ合金材料でできている。
【０００３】
変圧器１は定格入力電圧を有し、第１導電端子１３１ａ、１３１ｂを介して入力電圧が一次巻線領域１１１に巻き付けられた一次コイル組立体に入力された時、二次巻線領域１１３に巻き付けられた二次コイル組立体は出力電圧を第２導電端子１３３ａ、１３３ｂを介して出力する。入力電圧が変圧器１の定格入力電圧を超えた場合、変圧器１は焼損し、変圧器１を内蔵する電子製品に損傷を与える。また、従来の変圧器１の該コア組立体は全てＭｎ‐Ｚｎ合金材料でできている。Ｍｎ‐Ｚｎ合金それ自体が導電性であるので、該コア組立体（即ち、Ｕ字形コア１５ａ及びＩ字形コア１５ｂ）と巻き枠１１の間に、固定安全距離を維持するために隙間が必要である。結果として、この隙間を設けることは、従来の変圧器１の体積を大きく増加させる。
【０００４】
これに鑑みて、入力電圧が定格入力電圧を超えた場合に変圧器が焼損するのを防ぐために従来の変圧器１の特性の限界を打破するだけでなく、コア組立体と巻き枠の間の隙間を削減することで変圧器を小型化することが重要である。
【考案の概要】
【課題を解決するための手段】
【０００５】
本考案の主な目的は、マイクロコントローラによって入力電圧を調整する変圧器を提供することである。この変圧器は巻き枠と、１つ以上の一次コイル組立体と、１つ以上の二次コイル組立体と、１つ以上の帰還コイル組立体と、コア組立体とを備える。該巻き枠は１つ以上の一次巻線領域と、１つ以上の二次巻線領域と、１つ以上の帰還巻線領域とを備える。該１つ以上の一次コイル組立体は該１つ以上の一次巻線領域に巻き付けられ、該１つ以上の二次コイル組立体は該１つ以上の二次巻線領域に巻き付けられ、該１つ以上の帰還コイル組立体は該１つ以上の帰還巻線領域に巻き付けられている。該１つ以上の一次コイル組立体は該入力電圧を受け取るよう構成され、該１つ以上の帰還コイル組立体は該マイクロコントローラに誘導電圧を出力するよう構成され、該マイクロコントローラは該１つ以上の一次コイル組立体が受け取る該入力電圧を該誘導電圧に応じて調整する。
【０００６】
前記コア組立体はＵ字形コアとＩ字形コアを備え、これらのうち１つは非導電性材料でできている。この非導電性材料はＮｉ‐Ｚｎ合金、Ｍｇ‐Ｚｎ合金、又はこれらの組合せであってよい。より詳細には、Ｕ字形コアが非導電性材料でできている場合、Ｉ字形コアはＭｎ‐Ｚｎ合金、非導電性材料、又はこれらの組合せでできていてよい。逆に、Ｉ字形コアが非導電性材料でできている場合、Ｕ字形コアはＭｎ‐Ｚｎ合金、非導電性材料、又はこれらの組合せでできていてよい。Ｕ字形コア又はＩ字形コアのいずれかは非導電性であるので、本考案の変圧器において固定安全距離を維持する必要がない。従って、本考案の変圧器は小型化が可能である。
【０００７】
本考案の変圧器は、巻き枠上に帰還巻線領域を設けることで入力電圧の大きさを調節し、これにより入力電圧がその定格入力電圧を超え、本変圧器が焼損するのを防ぐ。また、本考案の変圧器のコア組立体は非導電性材料でできているので、固定安全距離は最小化され、従って、本変圧器は小型化される。
【０００８】
本考案の詳細な技術と好適な実施形態を、当業者が本考案の特徴を良く理解できるよう下記において添付の図面を参照しながら説明する。
【図面の簡単な説明】
【０００９】
【図１】従来の変圧器の概略図である。
【図２】本考案の好適な実施形態の概略図である。
【図３】本考案の好適な実施形態の別の概略図である。
【考案を実施するための形態】
【００１０】
下記において、本考案を実施形態を用いて説明する。しかし、これらの実施形態は、本考案をいかなる特定の環境、用途、又は実施形態にも限定するよう意図されていない。従って、これらの実施形態の記載は本考案を限定するためではなく、例示するためだけに提示される。なお、下記の実施形態と添付の図面において、本考案に関連しない要素は図示を省略する。
【００１１】
図２及び図３は本考案の好適な実施形態に係る変圧器２の概略図である。変圧器２は巻き枠２１と、第１コア２５ａ及び第２コア２５ｂを有するコア組立体とを備える。この巻き枠は１つ以上の一次巻線領域２１１、１つ以上の二次巻線領域２１３、１つ以上の帰還巻線領域２１９、及び２つ以上の配置領域２７１、２７３を備える。帰還巻線領域２１９は一次巻線領域２１１の第１の側で二次巻線領域２１３の第１の側に配置されている。配置領域２７１、２７３は巻き枠２１の両端にそれぞれ配置されている。即ち、配置領域２７１は一次巻線領域２１１の第２の側に配置され、配置領域２７３は二次巻線領域２１３の第２の側に配置されている。変圧器２は一次巻線領域２１１に巻き付けられた１つ以上の一次コイル組立体（不図示）と、二次巻線領域２１３に巻き付けられた１つ以上の二次コイル組立体（不図示）と、帰還巻線領域２１９に巻き付けられた１つ以上の帰還コイル組立体（不図示）とを備える。
【００１２】
該コア組立体の第１コア２５ａは、巻き枠２１の２つ以上の配置領域２７１、２７３と嵌合する拡張部を有するＵ字形コアである。該コア組立体の第２コア２５ｂは、巻き枠２１のジャック２１７に挿入されたＩ字形コアである。図３に示すように、第１コア２５ａ（Ｕ字形コア）と、第２コア２５ｂ（Ｉ字形コア）と、巻き枠２１とを互いに組み付けると、第２コア２５ｂの両端は第１コア２５ａの該拡張部に当接する。
【００１３】
第１コア２５ａ又は第２コア２５ｂのいずれかは、非導電性材料、例えばＮｉ‐Ｚｎ合金、Ｍｇ‐Ｚｎ合金、又はこれらの組合せでできている。より詳細には、第１コア２５ａが非導電性材料でできている場合、第２コア２５ｂはＭｎ‐Ｚｎ合金、非導電性材料、又はこれらの組合せでできていてよい。逆に、第２コア２５ｂが非導電性材料でできている場合、第１コア２５ａはＭｎ‐Ｚｎ合金、非導電性材料、又はこれらの組合せでできていてよい。第１コア２５ａ又は第２コア２５ｂのいずれかは非導電性であるので、変圧器２の巻き枠２１と該コア組立体との間に固定安全距離を維持する必要がない。
【００１４】
該一次コイル組立体と該帰還コイル組立体の間に第１分離部２１５ａが存在する。また、該二次コイル組立体と該帰還コイル組立体の間に第２分離部２１５ｂが存在する。該一次コイル組立体は、２つの第１導電端子２３１ａ、２３１ｂを介してマイクロコントローラ３１に電気的に接続され、マイクロコントローラ３１から入力電圧を受け取る。該帰還コイル組立体は、２つの第２導電端子２３３ａ、２３３ｂを介してマイクロコントローラ３１に電気的に接続され、マイクロコントローラ３１へ誘導電圧を出力する。該二次コイル組立体は２つの第３導電端子２３５ａ、２３５ｂを介して出力電圧を出力するよう構成されている。第２導電端子２３３ａ、２３３ｂを介して該帰還コイル組立体から出力された誘導電圧を受け取り、マイクロコントローラ３１はこの誘導電圧に応じて上記入力電圧を調整する。
【００１５】
上記で説明したように、本考案の変圧器は、一次コイル組立体と二次コイル組立体の間に位置する帰還コイル組立体を介して誘導電圧をマイクロコントローラに送り、該マイクロコントローラは一次コイル組立体が受け取る入力電圧を該誘導電圧に応じて調整する。この結果、入力電圧がその定格入力電圧を超え、本変圧器が焼損することがない。また、該コア組立体は非導電性材料でできているので、本考案の変圧器は小型化することができる。
【００１６】
上記の開示は本考案の詳細な技術内容と独創的な特徴に関する。当業者は本考案の開示と示唆に基づいて、本考案の特徴から逸脱することなく様々な変更と置換えを想到する可能性がある。そのような変更と置換えは本明細書に完全には開示されていないが、添付の請求項によって概ね規定される。
【符号の説明】
【００１７】
２  変圧器
２１  巻き枠
２５ａ  第１コア
２５ｂ  第２コア
３１  マイクロコントローラ
２１１  一次巻線領域
２１３  二次巻線領域
２１５ａ  第１分離部
２１５ｂ  第２分離部
２１７  ジャック
２１９  帰還巻線領域
２３１ａ、２３１ｂ  第１導電端子
２３３ａ、２３３ｂ  第２導電端子
２７１、２７３  配置領域
【図１】
0003150904.tif 000003
【図２】
0003150904.tif 000004
【図３】
0003150904.tif 000005